(57)【特許請求の範囲】
【請求項１】
内径の異なる２以上の円筒状の筒と、この筒を収納する四角の柱状の収納箱と、前記収納箱に取っ手とを有し、
最上部の筒に、便座と蓋を配置し、
使用するときは、筒を前記収納箱から取り出し、
前記最上部の筒に、粘着テープと、
封着部材と封着溝と、を配置し、
かつ、この粘着テープでビニール袋を封着することを特徴とする携帯用トイレ。
【発明の詳細な説明】
【０００１】
【発明の属する技術分野】
本発明は、災害時又はキャンプ時に使用する携帯用トイレに関する、さらに詳細には、普段は部屋の狭い空間、車のトランク等の狭いところに保管しておき、病人介護持、災害時又はキャンピング時に容易に取り出して、水を使用することなく使用することができる携帯用トイレに関するものである。
【０００２】
【従来の技術】
現在は、生活様式の発展によりほとんどの家庭、事業所のトイレは水洗式に変わっている。しかし、予測できない大震災等の緊急時には、これまでライフラインが大きな被害を受けている。ライフラインの中で、上下水道に被害が及んだ場合ほとんどの水洗式トイレは使用不可能になることが予想され、さらに、大震災等の被災地では、被害を免れた数少ないトイレに、並んで順番を待つことになる。
災害時の対策として、食料、水、薬品等を準備しておくほかに、人間の生理現象に関しても準備しておく必要がある。これは、また、疫病等の蔓延を防止するためにも必要である。
【０００３】
したがって、緊急時のための携帯用トイレとして、種々のものが提案されている。例えば、特開平１１−５６６７９号公報では、折り畳み状態で保管され使用時に組み立てて使用するものであり、台座箱と排泄物を収容する便槽箱と、台座箱の上に搭載される便座箱とを具備する携帯用トイレが提案されている。これにより一定の貯留能力を有し、使用時の組立を容易にし、使用後の回収を容易に、かつ衛生的に行うことができるものである。また、特開平１１−９３４３４号公報では、分離可能に形成した支柱と、組立時に接続する支柱の接続端部が側同士を繋ぐ連繋体を備える携帯用トイレが提案されている。これにより容易に設置でき、非使用時には効率よく収納できるものである。また、特開平１１−８９７５０号公報では、ダンボール等を素材として、略楕円形を短軸で二分して左右側壁と庁軸方向の両端を各所定長さの直線を底辺とする折り目を介して左右側壁と連接する底面板を設け、これを折り込んで構成される組立式携帯用トイレが提案されている。これにより、コンパクトに収納でき、使用時に簡単に組み立てることができ、使用後は使い捨て処分がしやすいものである。
【０００４】
【発明が解決しようとする課題】
しかしながら、さらに狭い場所に保管ができ、また、耐久性があり、使用に際して簡便な携帯用トイレが求められている。
そこで、本発明は、部屋の狭い空間、車のトランク等の狭い場所にも、トイレ用具らしくなく容易に保管することができ、さらに、使用時に水を必要とせず、簡単に使用することができる携帯用トイレを提供することを目的とする。
【０００５】
【課題を解決するための手段】
本発明は上記目的を達成するために、請求項１に記載の発明は、内径の異なる２以上の円筒状の筒と、この筒を収納する四角の柱状の収納箱と、前記収納箱に取っ手とを有し、最上部の筒に、便座と蓋を配置し、使用するときは、筒を前記収納箱から取り出し、前記最上部の筒に、粘着テープと、封着部材と封着溝と、を配置し、かつ、この粘着テープでビニール袋を封着することを特徴とする携帯用トイレとする。
【０００６】
【発明の実施の形態】
以下、本発明の実施の形態を図面に基づいて詳細に説明する。
【０００７】
図１は、本発明の一実施形態である携帯用トイレ１３を示す外観図である。
請求項１の記載に係る発明は、少なくとも円筒状の内径の異なる複数の筒２ａ、２ｂ、２ｃと、これらを収納する収納箱１からなっている。
収納箱１は、使用していない状態では、複数の筒２ａ、２ｂ、２ｃを内径が異なるので、内径の小さい内側にある筒を内径の大きい外側の筒の中に収容し、収容した筒全体を収納箱１の内部に収納し、収納箱用蓋５を閉じることで完全に１個の箱として保管することができる。
内径の最も小さい最上段の筒２ｃには、便座６が設けられている。この便座６は、開閉式になっており、使用時には人が座るように筒２ｃの縁に載せる。非使用時に又は男性のみが使用する場合には、上げて置くようにする。形状は、円形、楕円形等であって中央があいていればよい。とくに、馬蹄形であることが好ましい。
【０００８】
また、内径の最も小さい最上段の筒２ｃには、蓋７が設けられている。この蓋７は、開閉式になっており、使用時には開いておき、非使用時には閉めるようにする。形状は、筒２ｃの形状に合わせて円形にする。この蓋７は、構造としては平面状である。しかし、蓋７の縁部に傾きを持たせ、筒２ｃを密閉するものであっても良い。
さらに、本発明の携帯用トイレ１３は、収納箱１は四角の形状にすることで、円形の筒２ａ、２ｂ、２ｃを利用することで、四隅に、ビニール袋３、紙おむつ、テッシュペーパー等の収納部８を設けるものであってもよい。
【０００９】
また、本発明の携帯用トイレ１３は、使用していないときは、筒が収納箱１に収納され、使用するときは、筒２ａ、２ｂ、２ｃを収納箱１から取り出すことができる。図１は、筒２ａ、２ｂ、２ｃを収納箱１から取り出して、使用可能な状態を示している。図２は、本発明の携帯用トイレ１３を使用可能な状態に取り出したときの筒２ａ、２ｂ、２ｃ内部の構成を示す構造図である。取り出した状態では、板バネ１１で、凹状止め部１０を押して上部にある筒２ｂ、２ｃの筒の凸部１０‘に当たり、筒２ａ、２ｂ、２ｃ全体が落ちるのを防止する。これら筒２ａ、２ｂ、２ｃを収納する場合は、この筒２ａ、２ｂ、２ｃの凸部１０’を凹状止め部１０から外すことにより容易に落下させ、収納することができる。収納された場合でも板バネ１１で凹状止め部１０を押しているので、さらに、この凹状止め部１０が筒２ａ、２ｂ、２ｃの外側を押しことで、搬送中の筒２ａ、２ｂ、２ｃの揺れや移動を抑えることができる。
【００１０】
図３は、本発明の携帯用トイレ１３にビニール袋３を配置した状態を示す概略図である。本発明の携帯用トイレ１３は、使用時には、図３（ａ）に示すように、筒２ａ、２ｂ、２ｃによって形成される貯蔵空間９の中にビニール袋３を広げて使用するものである。
ビニール袋３は、図３（ｂ）に示すように、金属の輪１４でビニール袋３を円形状にして、図３（ｃ）に示す最上段の筒２ｃの縁部に設ける段に配置するものであっても良い。金属の輪１４は、封着溝４２に対応する部分は開けておくことが必要であるが、一部を開けるものであれば、断面形状は円形、四角形であっても良い。
また、本発明の携帯用トイレ１３は、この最上部の筒２ｃに、粘着テープ４８を配置し、かつ  この粘着テープ４８でビニール袋３を封着する封着手段４１を設けることができる。図４は、本発明の携帯用トイレ１３に配置される封着手段４１の外観を示す斜視図である。図５は、封着手段４１によりビニール袋３を封着し、粘着テープ４８を切断する動作を示す概略図である。
【００１１】
この封着手段４１は、図４に示すように、封着部材４３と封着溝４２を有し、さらに、封着溝４２を挟んで封着部材４３の反対側に粘着テープ４８を配置する。この粘着テープ４８は、封着溝４２の上部に張架され、次に、使用した後のビニール袋３の開口部をまとめて、この粘着テープ４８と共に封着溝４２に押し込む。この押し込まれたビニール袋３は、封着部材４３に突設された突起部４５に当たることで、封着部材４３を回転させる。この回転した封着部材４３の封着部分４４で粘着テープ４８をビニール袋３に押し当てて封着する。それと同時に、封着部材４３の先端に設けられるカッター４６が、回転する力により粘着テープ４８を切断する。これにより、封着したビニール袋３をそのまま廃棄することができる。
【００１２】
また、この他に、収納箱１には取っ手１２を付けることで、さらに携帯性を向上させることができる。
また、収納箱１と筒２ａ、２ｂ、２ｃ等の部材を、高分子樹脂で製造することが好ましい。高分子樹脂は、金属と比較して比重が小さく軽量にすることができ、さらに、長い間使用せず保管するときにさびが発生することがない。高分子樹脂としては、ＰＳ樹脂、ＡＢＳ樹脂、ポリアミド樹脂、ポリカーボネイト樹脂等が好ましい。強度が高く、人が座っても壊れないからである。
【００１３】
【発明の効果】
以上説明したように、請求項１に記載の携帯用トイレでは、部屋の狭い空間、車のトランク等の狭いところに保管しておき、病人介護時、災害時又はキャンピング時に容易に取り出して、水を使用することなく使用することができる。請求項１に記載の携帯用トイレでは、使用していないときは収納箱に収納されているためにトイレ用具らしくなく、また、携帯性に優れており、さらに、使用するときは簡単に取り出して使用できる。請求項１に記載の携帯用トイレでは、筒によって形成される貯蔵空間に引いたビニール袋を、容易に封着して廃棄することができる。
【図面の簡単な説明】
【図１】本発明の一実施形態である携帯用トイレを示す外観図である。
【図２】本発明の携帯用トイレを使用可能な状態に取り出したときの筒内部の構成を示す構造図である。
【図３】本発明の携帯用トイレにビニール袋を配置した状態を示す概略図である。
【図４】本発明の携帯用トイレに配置される封着手段の外観を示す斜視図である。
【図５】封着手段によりビニール袋を封着し、粘着テープを切断する動作を示す概略図である。
【符号の説明】
１  収納箱
２  筒
２ａ  最下段の筒
２ｂ  ２段目の筒
２ｃ  最上段の筒
３  ビニール袋
５  収納箱の蓋
６  便座
７  蓋
８  収納部
９  貯蔵空間
１０  凹状止め部
１０‘  凸部
１１  板バネ
１２  取っ手
１３  携帯用トイレ
１４  金属の輪
４１  封着手段
４２  封着溝
４３  封着部材
４４  封着部分
４５  突起部
４６  カッター
４７  軸
４８  粘着テープ
４９  粘着テープ用軸
【図１】
0003859933.tif 000002
【図２】
0003859933.tif 000003
【図３】
0003859933.tif 000004
【図４】
0003859933.tif 000005
【図５】
0003859933.tif 000006